【手続補正書】
【提出日】平成27年11月20日(2015.11.20)
【手続補正１】
【補正対象書類名】明細書
【補正対象項目名】発明の名称
【補正方法】変更
【補正の内容】
【発明の名称】記録装置および記録方法
【手続補正２】
【補正対象書類名】明細書
【補正対象項目名】００１４
【補正方法】変更
【補正の内容】
【００１４】
そのために本発明は、インクを吐出して記録を行う記録装置であって、（ｉ）熱エネルギーを生成するための複数の記録素子が所定方向に配列された記録素子列と、前記記録素子列内の前記所定方向における第１の位置の前記記録素子の近傍の温度を検出するための第１の温度センサと、前記記録素子列内の前記所定方向における前記第１の位置と異なる第２の位置の前記記録素子の近傍の温度を検出するための第２の温度センサと、が設けられた記録素子基板と、（ｉｉ）前記複数の記録素子に印加する駆動パルスを供給するための駆動ラインと、前記第１の温度センサからの信号を前記記録装置に伝達するための第１の出力ラインと、前記第１の出力ラインよりも長く、前記第２の温度センサからの信号を前記記録装置に伝達するための第２の出力ラインと、が設けられ、且つ、前記記録素子基板と電気的に接続された配線基板と、を少なくとも有する記録ヘッドと、前記記録ヘッドからの単位時間当たりのインクの吐出量に関する代表値を取得する第１の取得手段と、前記第１の出力ラインを介して前記第１の温度センサから伝達された信号と、前記第２の出力ラインを介して前記第２の温度センサから伝達された信号と、の少なくとも一方を用い、前記記録素子基板の温度に関する温度情報を取得する第２の取得手段と、前記第２の取得手段によって取得された前記温度情報に基づいて、前記複数の記録素子に印加する駆動パルスを決定する決定手段と、前記決定手段によって決定された前記駆動パルスを前記複数の記録素子に印加することによりインクを吐出するように制御する制御手段と、を有し、前記第２の取得手段は、（ｉ）前記第１の取得手段によって取得された前記代表値が所定の閾値よりも小さい場合、前記第１の出力ラインを介して前記第１の温度センサから伝達された信号と、前記第２の出力ラインを介して前記第２の温度センサから伝達された信号と、の両方を用い、前記温度情報を取得し、（ｉｉ）前記第１の取得手段によって取得された前記代表値が前記所定の閾値よりも大きい場合、前記第２の出力ラインを介して前記第２の温度センサから伝達された信号を用いず、且つ、前記第１の出力ラインを介して前記第１の温度センサから伝達された信号を用い、前記温度情報を取得することを特徴とする。
【手続補正３】
【補正対象書類名】特許請求の範囲
【補正対象項目名】全文
【補正方法】変更
【補正の内容】
【特許請求の範囲】
【請求項１】
インクを吐出して記録を行う記録装置であって、
（ｉ）熱エネルギーを生成するための複数の記録素子が所定方向に配列された記録素子列と、前記記録素子列内の前記所定方向における第１の位置の前記記録素子の近傍の温度を検出するための第１の温度センサと、前記記録素子列内の前記所定方向における前記第１の位置と異なる第２の位置の前記記録素子の近傍の温度を検出するための第２の温度センサと、が設けられた記録素子基板と、（ｉｉ）前記複数の記録素子に印加する駆動パルスを供給するための駆動ラインと、前記第１の温度センサからの信号を前記記録装置に伝達するための第１の出力ラインと、前記第１の出力ラインよりも長く、前記第２の温度センサからの信号を前記記録装置に伝達するための第２の出力ラインと、が設けられ、且つ、前記記録素子基板と電気的に接続された配線基板と、
を少なくとも有する記録ヘッドと、
前記記録ヘッドからの単位時間当たりのインクの吐出量に関する代表値を取得する第１の取得手段と、
前記第１の出力ラインを介して前記第１の温度センサから伝達された信号と、前記第２の出力ラインを介して前記第２の温度センサから伝達された信号と、の少なくとも一方を用い、前記記録素子基板の温度に関する温度情報を取得する第２の取得手段と、
前記第２の取得手段によって取得された前記温度情報に基づいて、前記複数の記録素子に印加する駆動パルスを決定する決定手段と、
前記決定手段によって決定された前記駆動パルスを前記複数の記録素子に印加することによりインクを吐出するように制御する制御手段と、
を有し、
前記第２の取得手段は、
（ｉ）前記第１の取得手段によって取得された前記代表値が所定の閾値よりも小さい場合、前記第１の出力ラインを介して前記第１の温度センサから伝達された信号と、前記第２の出力ラインを介して前記第２の温度センサから伝達された信号と、の両方を用い、前記温度情報を取得し、
（ｉｉ）前記第１の取得手段によって取得された前記代表値が前記所定の閾値よりも大きい場合、前記第２の出力ラインを介して前記第２の温度センサから伝達された信号を用いず、且つ、前記第１の出力ラインを介して前記第１の温度センサから伝達された信号を用い、前記温度情報を取得することを特徴とする記録装置。
【請求項２】
前記駆動ラインと前記第２の出力ラインが互いに平行となるように設けられた領域の長さは、前記駆動ラインと前記第１の出力ラインが互いに平行となるように設けられた領域の長さよりも長いことを特徴とする請求項１に記載の記録装置。
【請求項３】
前記第１の位置は、前記所定方向における前記記録素子列内の一方の端部に対応する位置であって、前記第２の位置は、前記所定方向における前記記録素子列内の他方の端部に対応する位置であることを特徴とする請求項１または２に記載の記録装置。
【請求項４】
前記複数の記録素子は、前記所定方向における前記一方の端部に位置する前記記録素子を含む所定数の記録素子であって、前記所定方向に連続して配列された前記所定数の記録素子から構成される第１の記録素子群と、前記所定方向における前記他方の端部に位置する前記記録素子を含む所定数の記録素子であって、前記所定方向に連続して配列された前記所定数の記録素子から構成される第２の記録素子群と、に分割され、
前記第１の取得手段は、
（ｉ）前記第１の記録素子群からのインクの吐出量に関する値に第１の係数を乗じることで第１の値を算出し、
（ｉｉ）前記第２の記録素子群からのインクの吐出量に関する値に第２の係数を乗じることで第２の値を算出し、
（ｉｉｉ）前記第１の値と前記第２の値の和を前記代表値として取得する
ことを特徴とする請求項３に記載の記録装置。
【請求項５】
前記第２の係数は、前記第１の係数よりも大きいことを特徴とする請求項４に記載の記録装置。
【請求項６】
前記第１の記録素子群からのインクの吐出量に関する値は、所定時間内における前記第１の記録素子群の駆動回数であって、前記第２の記録素子群からのインクの吐出量に関する値は、前記所定時間内における前記第２の記録素子群の駆動回数であることを特徴とする請求項４または５に記載の記録装置。
【請求項７】
前記第１の記録素子群からのインクの吐出量に関する値は、前記第１の記録素子群の記録デューティであって、前記第２の記録素子群からのインクの吐出量に関する値は、前記第２の記録素子群の記録デューティであることを特徴とする請求項４または５に記載の記録装置。
【請求項８】
前記第２の取得手段は、前記第１の取得手段によって取得された前記代表値が前記所定の閾値よりも少ない場合、
（ｉ）所定時間内に前記第１の出力ラインを介して前記第１の温度センサから伝達されたｍ個の前記信号が示すｍ個の値を移動平均処理することにより、前記第１の温度センサの検出温度を取得し、
（ｉｉ）所定時間内に前記第２の出力ラインを介して前記第２の温度センサから伝達されたｎ個の前記信号が示すｎ個の値を移動平均処理することにより、前記第２の温度センサの検出温度を取得し、
（ｉｉｉ）前記第１の温度センサの検出温度と前記第２の温度センサの検出温度に基づいて前記温度情報を取得する
ことを特徴とする請求項１から７のいずれか１項に記載の記録装置。
【請求項９】
ｎ＞ｍであることを特徴とする請求項８に記載の記録装置。
【請求項１０】
前記第２の取得手段は、前記第１の取得手段によって取得された前記代表値が前記所定の閾値よりも多い場合、
（ｉ）所定時間内に前記第１の出力ラインを介して前記第１の温度センサから伝達されたｍ個の前記信号が示すｍ個の値を移動平均処理することにより、前記第１の温度センサの検出温度を取得し、
（ｉｉ）前記第１の温度センサの検出温度のみに基づいて前記温度情報を取得する
ことを特徴とする請求項１から９のいずれか１項に記載の記録装置。
【請求項１１】
前記第１、第２の温度センサは、それぞれダイオードセンサであることを特徴とする請求項１から１０のいずれか１項に記載の記録装置。
【請求項１２】
前記配線基板は、複数の前記記録素子基板と電気的に接続されていることを特徴とする請求項１から１１のいずれか１項に記載の記録装置。
【請求項１３】
（ｉ）熱エネルギーを生成するための複数の記録素子が所定方向に配列された記録素子列と、前記記録素子列内の前記所定方向における第１の位置の前記記録素子の近傍の温度を検出するための第１の温度センサと、前記記録素子列内の前記所定方向における前記第１の位置と異なる第２の位置の前記記録素子の近傍の温度を検出するための第２の温度センサと、が設けられた記録素子基板と、（ｉｉ）前記複数の記録素子に印加する駆動パルスを供給するための駆動ラインと、前記第１の温度センサからの信号を記録装置に伝達するための第１の出力ラインと、前記第１の出力ラインよりも長く、前記第２の温度センサからの信号を前記記録装置に伝達するための第２の出力ラインと、が設けられ、且つ、前記記録素子基板と電気的に接続された配線基板と、を少なくとも有する記録ヘッドを用いて記録を行う記録方法であって、
前記記録ヘッドからの単位時間当たりのインクの吐出量に関する代表値を取得する第１の取得工程と、
前記第１の出力ラインを介して前記第１の温度センサから伝達された信号と、前記第２の出力ラインを介して前記第２の温度センサから伝達された信号と、の少なくとも一方を用い、前記記録素子基板の温度に関する温度情報を取得する第２の取得工程と、
前記第２の取得工程によって取得された前記温度情報に基づいて、前記複数の記録素子に印加する駆動パルスを決定する決定工程と、
前記決定工程によって決定された前記駆動パルスを前記複数の記録素子に印加することによりインクを吐出する吐出工程と、
を有し、
前記第２の取得工程は、
（ｉ）前記第１の取得工程によって取得された前記代表値が所定の閾値よりも小さい場合、前記第１の出力ラインを介して前記第１の温度センサから伝達された信号と、前記第２の出力ラインを介して前記第２の温度センサから伝達された信号と、の両方を用い、前記温度情報を取得し、
（ｉｉ）前記第１の取得工程によって取得された前記代表値が前記所定の閾値よりも大きい場合、前記第２の出力ラインを介して前記第２の温度センサから伝達された信号を用いず、且つ、前記第１の出力ラインを介して前記第１の温度センサから伝達された信号を用い、前記温度情報を取得することを特徴とする記録方法。